(57)【要約】      （修正有）【課題】ヘアキャッチャーを設ける排水トラップに特別な構造を設ける必要が無く、捕集した毛髪等を容易に除去することができ、安定した排水能力を得ることが可能なヘアキャッチャーを提供する。【解決手段】排水トラップに設けられるヘアキャッチャー１０に、底部に上方へ凸とされた凸部２４を有する凹状とされ、流入した排水を保水する保水部２０と、該保水部２０の上部から延出し、排水中の毛髪の流出を抑止しながら保水部２０に入りきらない排水を流出させる上部排水流出部３０と、保水部２０内における凸部２４の最上部から水平方向へずれた位置に向けて洗い場からの排水を保水部２０へ導く排水導入部４０とを設ける。保水部２０は、排水中の毛髪の流出を抑止しながら排水を流出させる下部排水流出部を下部に有し、流入した排水を一時的に保水しながら該排水を下部排水流出部から流出させてもよい。【選択図】図４
2011169102.tif 000002
【特許請求の範囲】
【請求項１】
排水トラップに対して着脱可能に設けられるヘアキャッチャーであって、
底部に上方へ凸とされた凸部を有する凹状とされ、流入した排水を保水する保水部と、
該保水部の上部から延出し、排水中の毛髪の流出を抑止しながら前記保水部に入りきらない排水を流出させる上部排水流出部と、
前記保水部内における前記凸部の最上部から水平方向へずれた位置に向けて洗い場からの排水を前記保水部へ導く排水導入部とを備えることを特徴とするヘアキャッチャー。
【請求項２】
前記上部排水流出部は、排水中の毛髪の流出を抑止しながら前記保水部に入りきらない排水を流出させる孔群を有することを特徴とする請求項１に記載のヘアキャッチャー。
【請求項３】
前記排水導入部は、前記上部排水流出部の外縁と前記保水部の上部とを繋ぐとともに前記上部排水流出部の孔群同士で挟まれた位置で洗い場からの排水を前記保水部へ通す流入部を有し、
前記流入部を挟む前記上部排水流出部の孔群同士の間隔が前記孔群の孔同士の間隔よりも広くされていることを特徴とする請求項２に記載のヘアキャッチャー。
【発明の詳細な説明】
【技術分野】
【０００１】
本発明は、排水トラップに設けられるヘアキャッチャーに関する。
【背景技術】
【０００２】
浴室の排水トラップには、毛髪を主とするごみ等の異物を排水中から捕集するヘアキャッチャーが着脱可能に設けられている。また、ヘアキャッチャー外で発生させた渦流をヘアキャッチャー内に導入して異物をまとめるようにすることも行われている。
【０００３】
特許文献１には、漏斗型封水筒に設置する深型ヘアキャッチャー内に渦巻き水流を発生させる様に深型ヘアキャッチャーの外側に水向案内部を設けた排水口が記載されている。図８の（ａ）は漏斗型封水筒９０２及び水向案内部９０３を断面視して同文献に記載された排水口を示す側面図であり、同図（ｂ）は水向案内部９１３を一体化したヘアキャッチャー９１１を示す側面図であり、同図（ｃ）は漏斗型封水筒９０２及び水向案内部９１８を断面視して同文献に記載された排水口を示す側面図である。
同図（ａ）の排水口は、封水筒９０２に排水量調節部品９０４を取り付けて封水筒９０２の穴径を小さくすることにより、水向案内部９０３による右回転の渦巻き水流を封水筒９０２内、すなわち、ヘアキャッチャー９０１外で発生させている。これにより、ヘアキャッチャー９０１内に渦巻き水流が発生するとされている。同排水口は、洗い場からの排水がヘアキャッチャー９０１全体に流入し、全排水が排水量調節部品９０４を通って少しずつ流下することになる。
また、同図（ｂ）の排水口は、ヘアキャッチャー９１１の外側面に水向案内部９１３を一体形成あるいは着脱可能に形成している。同排水口も、水向案内部９１３による右回転の渦巻き水流をヘアキャッチャー９１１外で発生させ、この渦巻き水流をヘアキャッチャー９１１内に導入している。
さらに、同図（ｃ）の排水口は、ヘアキャッチャー９１６の上部位置に水向案内部９１８を配置している。
【０００４】
特許文献２には、排水桝の立面に設けた吐水口から浴槽排水を吐出するようにした排水構造が記載されている。図８（ｄ）は、同文献に記載された排水構造を示す斜視図である。この排水構造は、排水桝９２３の底面９２３ａの流入口９２４に対してヘアキャッチャー９２５が水平に取り付けられ、吐水口９２１からの浴槽排水の吐出方向が流入口９２４の中心を向いていない。このため、吐水口９２１から吐出された浴槽排水は、渦を描いて流入口９２４へ向かい、ヘアキャッチャー９２５を通過する。
特許文献３には、キッチンのシンクに設けられた排水トラップが記載されている。図８（ｅ）は、同文献に記載された排水トラップ９３０を示す垂直断面図である。排水トラップ９３０は、水受椀部９３１ａや封水椀部９３１ｂや外周流路部９３１ｃを有するトラップ本体９３１、封水椀部９３１ｂ内に挿入された防臭筒９３２、水受椀部９３１ａ内に配置された網かご９３３、水受椀部９３１ａの上面開口を蓋う蓋体９３４、を備えている。外周流路部９３１ｃや防臭筒９３２や蓋体９３４には、封水椀部９３１ｂ内で一方向に回転する渦流が水流により発生するように排水を案内する排水案内手段が設けられている。シンクから排水トラップ９３０へ流れる排水は、封水椀部９３１ｂ内で渦流が発生するように蓋体９３４で案内され、網かご９３３を通過する。
【先行技術文献】
【特許文献】
【０００５】
【特許文献１】特開２００７−１９８１３０号公報
【特許文献２】特開２００７−４６４２４号公報
【特許文献３】特開２００７−１２００２１号公報
【発明の概要】
【発明が解決しようとする課題】
【０００６】
図８（ａ）に示す排水口は、洗い場からの排水が全て排水量調節部品９０４を通過するため、排水能力が制限される。このため、同排水口は、浴槽から湯が溢れたとき等、一度に大量の排水が生じたときに十分に排出されないことがある。同図（ｂ）（ｃ）に示すヘアキャッチャー９１１を排水口に用いても、同様である。
また、同図（ａ）（ｂ）に示すヘアキャッチャー９０１，９１１は、外側に水向案内部９０３，９１３が設けられているため、封水筒９０２内で渦巻き水流を発生させるためには封水筒９０２の形状を水向案内部９０３，９１３の形状に合わせなければならない。
さらに、同図（ａ）〜（ｃ）に示すヘアキャッチャー９０１，９１１，９１６は、洗い場からの全排水がヘアキャッチャー全体に流入するため、ヘアキャッチャー全体に毛髪等が付着し、ヘアキャッチャーから毛髪等を除去し難かったり、ヘアキャッチャーが目詰まりしたりすることがある。
【０００７】
図８（ｄ）に示す排水構造は、渦流を発生させるために浴槽排水が必要であり、かつ、浴槽排水を吐出する吐水口９２１を排水桝９２３に形成する必要がある。また、ヘアキャッチャー９２５が水平に配置され、排水がヘアキャッチャー９２５上で保水されず速やかにヘアキャッチャー９２５全体を通過するようにされているため、毛髪等がヘアキャッチャー全体に絡み付きやすい。このため、ヘアキャッチャーから毛髪等を除去し難かったり、ヘアキャッチャーが目詰まりしたりすることがある。
【０００８】
図８（ｅ）に示す排水トラップ９３０は、浴室ではなくキッチンに設けられるため、ヘアキャッチャーではなく網かご９３３を用いている。また、排水が網かご９３３内で保水されず速やかに網かご９３３全体を通過するようにされているため、仮に毛髪等が流された場合には、その毛髪等が網かご全体に絡み付きやすい。このため、網かごから毛髪等を除去し難かったり、網かごが目詰まりしたりすることがある。
【０００９】
本発明は、上記課題に鑑みてなされたもので、ヘアキャッチャーを設ける排水トラップに特別な構造を設ける必要が無く、捕集した毛髪等を容易に除去することができ、安定した排水能力を得ることが可能なヘアキャッチャーの提供を目的とする。
【課題を解決するための手段】
【００１０】
上記目的を達成するため、本発明は、排水トラップに対して着脱可能に設けられるヘアキャッチャーであって、底部に上方へ凸とされた凸部を有する凹状とされ、流入した排水を保水する保水部と、該保水部の上部から延出し、排水中の毛髪の流出を抑止しながら前記保水部に入りきらない排水を流出させる上部排水流出部と、前記保水部内における前記凸部の最上部から水平方向へずれた位置に向けて洗い場からの排水を前記保水部へ導く排水導入部とを備えることを特徴とする。
【００１１】
すなわち、洗い場からの排水は、排水導入部により保水部内における凸部の最上部から水平方向へずれた位置に向かって凹状の保水部へ導かれ、該保水部で保水される。また、保水部に入りきらない排水は、保水部の上部から延出した上部排水流出部から流出する。ここで、保水部に入りきらない排水は、単に上部排水流出部からオーバーフローする訳ではなく、毛髪の流出が抑止されながら上部排水流出部から流出する。
保水部内に溜まった排水の中では、毛髪等が浮遊して集まり、毛髪等が集まった状態で保水部内に残存する。また、凹状の保水部へ導かれる排水が凸部の最上部から水平方向へずれた位置に向かうことにより保水部内で排水の旋回流が生じ易く、保水部内に凸部があることにより保水部へ導かれる排水が旋回流を打ち消す方向へ流入し難いので、保水部内で毛髪等がまとまり易い。従って、捕集した毛髪等を容易に除去することができる性能、すなわち、良好な毛髪除去性を得ることができる。
また、洗い場からの排水が保水部へ導かれるので、上部排水流出部の閉塞が抑止される。従って、安定した排水能力を得ることができる。
さらに、上述した良好な毛髪除去性及び安定した排水能力は、ヘアキャッチャー単独の構造のみで得られる。
【００１２】
各請求項に係る発明において、上記ヘアキャッチャーには、毛髪以外の異物も捕集するものも含まれる。また、上記ヘアキャッチャーには、浴室の排水トラップに用いられるヘアキャッチャーの他、洗面化粧台の排水トラップに用いられるヘアキャッチャー、理容店や美容室の排水トラップに用いられるヘアキャッチャー、等も含まれる。
上記排水は、毛髪を含む水とする。
洗い場からの排水には、洗い場から排水桝内に落ちた後にヘアキャッチャー内へ流れ込む排水が含まれる。
上記凸部の凸とされた形状には、膨出した形状や突出した形状等が含まれる。
排水中の毛髪の流出を抑止する上記上部排水流出部は、全ての毛髪を止めなくても良い。すなわち、抑止は、全てを止めることに限定されない。
上記保水部が排水を保水することには、排水を一時的に保水することが含まれる。ここで、保水部が排水を一時的に保水することは、保水部内で排水が流出しながらも一時的に排水が溜まった状態にさせることを意味する。
上記凹状の保水部は排水を受けて保水する形状であればよく、該保水部の形状には椀状、半球状、上下逆の円錐状、上下逆の角錐状、等の底部に上方へ凸とされた凸部を有する形状が含まれる。
【００１３】
また、前記上部排水流出部は、前記保水部に入りきらない排水を流出させる孔を有し、前記排水導入部は、前記上部排水流出部の外縁と前記保水部の上部とを繋ぐとともに前記上部排水流出部の孔同士で挟まれた位置で洗い場からの排水を前記保水部へ通す流入部と、該流入部へ洗い場からの排水を通す流入口を設けて前記孔が存在する前記上部排水流出部の外側に配置されるとともに前記流入部上の排水が前記保水部内における前記凸部の最上部から水平方向へずれた位置に向かうように前記流入口側の縁部が前記保水部の方へ曲げられた立壁部とを有してもよい。
すなわち、ヘアキャッチャーに流入する洗い場からの排水は、立壁部により上部排水流出部の孔へ流入し難くされ、流入口から流入部を通って保水部内における凸部の最上部から水平方向へずれた位置に向かい、該保水部で保水される。
【００１４】
さらに、前記保水部は、排水中の毛髪の流出を抑止しながら排水を流出させる下部排水流出部を下部に有し、流入した排水を一時的に保水しながら該排水を前記下部排水流出部から流出させてもよい。
すなわち、保水部内で一時的に溜まった排水の中では、毛髪等が浮遊して集まり、保水部から排水が抜けたときに毛髪等が集まった状態で保水部内に残存する。保水部の底部に凸部が設けられているので、集まった毛髪等が凸部に支えられ、該毛髪等と保水部底部との接触面積が減少し、毛髪等を捨てる際に保水部の内側面から毛髪等が離れやすい。
【００１５】
なお、上記排水が毛髪を含む水であるので、下部排水流出部や上部排水流出部は、毛髪を含む水が流出する部位を意味する。排水中の毛髪の流出を抑止する上記下部排水流出部は、全ての毛髪を止めなくても良い。
上記保水部が排水を一時的に保水することは、保水部内で排水が流出しながらも一時的に排水が溜まった状態にさせることを意味する。従って、保水部内での排水の滞留時間は、有限の時間である。中で毛髪が浮遊しながら保水部内に存在する排水の状態は、保水部内に一時的に保水されている状態に含まれる。
【００１６】
保水部内の排水の旋回流は保水部内に存在する排水が回転する流れをいい、保水部に流入した排水が下部排水流出部等から流出するまでの回転数に制限は無い。また、旋回流の仮想の回転軸の向きは、鉛直方向でもよいし、水平方向でもよいし、鉛直方向や水平方向から斜めにずれた方向でもよい。
【００１７】
なお、上記ヘアキャッチャーを有する排水トラップの発明や、上記ヘアキャッチャーを有する浴室の発明も、上述した作用、効果を奏する。
【発明の効果】
【００１８】
請求項１に係る発明によれば、ヘアキャッチャーを設ける排水トラップに特別な構造を設ける必要が無く、良好な毛髪除去性及び安定した排水能力を得ることが可能なヘアキャッチャーを提供することができる。
請求項２に係る発明では、排水中の毛髪の流出を抑止しながら保水部に入りきらない排水を孔群から流出させる上部排水流出部を備えるヘアキャッチャーを提供することができる。
請求項３に係る発明では、流入部を挟む上部排水流出部の孔群同士の間隔が孔群の孔同士の間隔よりも広くされたヘアキャッチャーを提供することができる。
【図面の簡単な説明】
【００１９】
【図１】ヘアキャッチャーを設けた排水トラップを示す垂直断面図。
【図２】図１に示す排水トラップの分解斜視図。
【図３】締め付けフランジ及び封水筒の上面を示す平面図。
【図４】図１に示すヘアキャッチャーの外観を示す斜視図。
【図５】図１に示すヘアキャッチャーを上から見て示す平面図。
【図６】図１に示すヘアキャッチャーを図５のＡ２−Ａ２の位置で断面視して示す垂直断面図。
【図７】図１に示すヘアキャッチャーの側面図及び垂直断面図。
【図８】排水トラップの従来例を示す図。
【発明を実施するための形態】
【００２０】
（１）ヘアキャッチャーの構成：
図１は本発明の一実施形態に係るヘアキャッチャー１０を設けた浴室用の排水トラップ１を示す垂直断面図、図２は排水トラップ１の分解斜視図、図３は締め付けフランジ１４０及び封水筒１５０を上から見て示す図、図４，５はヘアキャッチャー１０の外観を示す図、図６はヘアキャッチャー１０を図５のＡ２−Ａ２の位置から見て示す垂直断面図、図７（ａ）はヘアキャッチャー１０を図５のＡ１方向から見て示す側面図、図７（ｂ）（ｃ）はヘアキャッチャー１０を図５のＡ２−Ａ２の位置から見て示す垂直断面図である。
浴室は、図示しないシャワーや給湯栓等が設けられた洗い場Ｗ１が浴槽Ｂ１の外側に設けられ、この洗い場Ｗ１の床材１１０の一部が凹んで排水桝１１２が形成されている。この排水桝１１２は、下側の開口部に向かって略水平方向に内側へ延出したフランジ部１１３を有し、上側の開口部にカバー１２０を着脱することができるようにされている。排水トラップ１は、排水桝１１２に取り付けられ、カバー１２０と床材１１０との隙間ＣＬ１から排水桝１１２へ流入した排水を通過させる。本排水トラップ１は、カバー１２０、トラップ本体１３０、締め付けフランジ１４０、封水筒１５０、及びヘアキャッチャー１０を備える。
排水桝１１２の四隅には、図２に示すように、カバー１２０を載置するための洗い場側段部１１４ａ，１１４ａ及び浴槽側段部１１４ｂ，１１４ｂが形成されている。カバー１２０の浴槽側縁部１２０ａには、洗い場側へ凹んだ手かけ部１２２が形成されている。
【００２１】
図１に示すように、トラップ本体１３０は、上部が開口し、浴槽側の側壁１３０ａの下部に水平方向へ突出した接続口１３１が形成され、該接続口１３１に対向する側壁１３０ｂに水平方向へ突出した排出口１３２が形成されている。接続口１３１は、接続管を介して浴槽の防水パンに接続されている。トラップ本体１３０内では、側壁１３０ａ，１３０ｂの上縁部に封水面Ｓが形成され、この封水面Ｓの下側に封水筒１５０の下部が差し込まれる。また、トラップ本体１３０の上縁部には径方向内側へ延出したフランジ部１３３が形成され、このフランジ部１３３の内周面にねじ部１３３ａが形成されている。
【００２２】
締め付けフランジ１４０は、図１及び図３（ａ）に示すように、トラップ本体のねじ部１３３ａと螺合するねじ部１４１ａを外周面に有する円筒部１４１と、この円筒部１４１の上縁部で径方向外側へ延出した上側フランジ部１４２と、円筒部１４１の下縁部で径方向内側へ延出した下側フランジ部１４３とを備える略環状に形成されている。円筒部１４１の内周面には、９０°間隔で４箇所に上下２つの突起１４１ｂが形成されている。床材のフランジ部１１３の先端部にパッキン１４４を取り付け、このパッキン１４４をトラップ本体のフランジ部１３３とで挟むようにして該フランジ部１３３に締め付けフランジ１４０を螺入すると、床材のフランジ部１１３とトラップ本体１３０とを互いに固定することができる。
【００２３】
封水筒１５０は、図１及び図３（ｂ）に示すように、筒状の本体部１５１と、この本体部１５１の上縁部から径方向外側へ延出したフランジ部１５２とを有する形状に形成されている。フランジ部１５２の外縁部には、９０°間隔で４箇所に切欠１５２ａが形成されている。各切欠１５２ａを締め付けフランジの突起１４１ｂに合わせて締め付けフランジ１４０の開口部に封水筒の本体部１５１を挿入し、封水筒のフランジ部１５２を締め付けフランジの下側フランジ部１４３に接触させて回転させることにより、トラップ本体１３０内の所定位置に封水筒１５０が固定される。ここで、封水筒１５０の下端とトラップ本体１３０の底面との間に隙間が設けられている。
【００２４】
ヘアキャッチャー１０は、図４〜図７に示す一時保水部（保水部）２０と上部排水流出部３０と排水導入部４０を備え、排水から毛髪等のごみを捕集する。本ヘアキャッチャー１０は、凸部の最上部２４ａを通る鉛直線を中心として２回回転対称な形状とされている。なお、本明細書において、２回回転対称とは、一つの立体図形を一定軸のまわりに１８０°回転移動させて初めて同じ立体図形になる性質をいうものとする。
【００２５】
一時保水部２０は、上部が開口し下方へ凹んだ凹状に形成され、流入した排水を保水する。本実施形態の一時保水部２０は、半球の底に上方へ凸とされた凸部２４を有する凹状とされている。凸部２４を含む一時保水部２０下部には、排水中の毛髪等の流出を抑止しながら排水を略下方へ流出させる水抜き孔２３が複数形成されている。これらの水抜き孔２３が設けられた一時保水部２０下部は、本発明にいう下部排水流出部２２となっている。排水を流出させる下部排水流出部２２が凹状の一時保水部２０の下部に存在することにより、一時保水部２０内で一時的に保水される排水に渦流が発生し易くなっている。
一方、一時保水部２０における下部排水流出部２２の周囲は、水抜き孔の無い壁部２１とされ、外側に向かって膨出しながら斜めに立ち上がっている。従って、一時保水部２０は、流入した排水を一時的に保水しながら該排水を下部排水流出部２２から流出させる。一時保水部が略半球状に形成されているので、一時保水部内で排水が旋回流になり易くなり、毛髪等をまとめて捨て易くすることができる。
【００２６】
凸部２４は、最上部２４ａが一時保水部２０の上縁部２１ａよりも低くされ、一時保水部２０の底部から上方へなだらかに膨出している。本実施形態の水抜き孔２３は、凸部の最上部２４ａから一時保水部２０の最下部２０ａを越えて凸部２４の周囲にまで複数設けられている。ヘアキャッチャー１０が凸部の最上部２４ａを通る鉛直線を中心として２回回転対称であるので、図６に示すように仮想の水平面ＨＰ１に投影するとき、凸部の最上部２４ａは下部排水流出部２２の平面図形の重心ＣＥ１と一致する。
ここで、ヘアキャッチャー１０を仮想の水平面ＨＰ１に投影した平面図形は図５の平面図に相当し、下部排水流出部２２の平面図形（水抜き孔２３に相当する部分も含まれる）は同図の２２で表される二点鎖線で囲まれた図形に相当する。この平面図形は、水抜き孔２３に相当する部分を含むものとする。下部排水流出部２２の平面図形の重心ＣＥ１は、幾何学やシミュレーションで求めることができ、単位面積当たりの重量が均一な板を水抜き孔２３の無い下部排水流出部２２の形状に切り取って釣り合う点、すなわち、質量中心を探す試験を行うことによっても求めることができる。
【００２７】
凸部２４と一時保水部壁部２１との水平方向の間は、人の指が入るような間隔が設けられている。これにより、ヘアキャッチャー１０を洗浄する際に一時保水部の最下部２０ａまで容易に洗浄することができる。
【００２８】
下部排水流出部２２の最大の排水流出流量Qd（リットル／分）は、排水中の毛髪が浮遊する程度に洗い場Ｗ１からの排水が一時保水部２０内で一時的に溜まる流量が好ましい。ここで、最大の排水流出流量Qdは、一時保水部２０内に排水が上縁部２１ａまで溜まっているように連続して排水を導入したときに下部排水流出部２２から流出する排水の流出流量とする。また、洗い場で使用するシャワーの平均吐水流量Qs（リットル／分）よりもQdを小さくすると、平均的な吐水流量で洗い場のシャワーを使用したときに洗い場の排水が一時保水部２０内で一時的に溜まるので好ましい。一方、一時保水部２０で一時的に保水される排水の滞留時間Ｔを数秒〜十数秒程度（例えば５〜１５秒）とするようにQdを設定すると、洗い場使用後速やかに一時保水部２０から排水が抜けて毛髪等を除去する作業を行うことができるので好ましい。
なお、上記排水流出流量Qdを大きくするには、水抜き孔２３の開口面積を大きくしたり、水抜き孔２３の数を多くしたりして、水抜き孔２３の総開口面積（個々の水抜き孔の開口面積を総和した面積）を大きくすればよい。むろん、Qdを小さくするには、水抜き孔２３の総開口面積を小さくすればよい。このようにして、下部排水流出部２２を所望の排水流出流量にすることができる。
【００２９】
上部排水流出部３０は、一時保水部２０を取り囲むように設けられ、一時保水部２０の上部（上縁部２１ａ）から外側に向かって斜めに上がるように延出している。この上部排水流出部３０には、排水中の毛髪の流出を抑止しながら一時保水部２０に入りきらない排水を流出させる排水流出孔群３１，３１が複数形成されている。各排水流出孔群３１は、毛髪の流出を抑止しながら排水を流出させる孔３２が複数集合して構成されている。上部排水流出部３０は一時保水部２０に入りきらない排水を流出させるため、上部排水流出部３０の最大の排水流出流量Qu（リットル／分）が下部排水流出部２２の最大排水流出流量Qd（リットル／分）よりも大きくなるようにしている。ここで、最大の排水流出流量Quは、排水が排水桝１１２内で上部排水流出部３０の外縁（外縁部３０ａ）の位置まで溜まっているように連続して排水を導入したときに上部排水流出部３０から流出する排水の流出流量とする。むろん、Quを大きくするには孔３２の総開口面積を大きくすればよく、Quを小さくするには孔３２の総開口面積を小さくすればよい。このようにして、上部排水流出部３０を所望の排水流出流量にすることができる。
本実施形態の上部排水流出部３０は、排水桝１１２の中で容積をできるだけ大きくするため、一時保水部２０の上部よりも緩やかな傾斜で外側へ延出している。
【００３０】
排水導入部４０は、洗い場Ｗ１からの排水を上部排水流出部３０ではなく、一時保水部２０へ導く。本実施形態の排水導入部４０は、流入部６０と立壁部５０を有し、図５に示すように一時保水部２０内で左回り（一方向）に回転する旋回流が発生するように洗い場Ｗ１からの排水を直接、一時保水部２０内に導入する。なお、一時保水部内で旋回流が一方向に回転するとは、一時保水部内の旋回流が左回りのみであること、一時保水部内の旋回流が右回りのみであること等、一時保水部内の旋回流の回転方向が一つであることを意味するものとする。
【００３１】
流入部６０は、排水流出孔群３１，３１同士で挟まれた位置（孔３２同士で挟まれた位置）で上部排水流出部の外縁部３０ａと一時保水部の上縁部２１ａとを繋ぎ、洗い場Ｗ１からの排水を流入口５６から一時保水部２０へ通す。この流入部６０を挟む排水流出孔群３１，３１同士の間隔は、各排水流出孔群３１を構成する孔３２同士の間隔よりも広くされている。ここで、排水流出孔群同士の間隔は一方の排水流出孔群３１と他方の排水流出孔群３１との間の最短距離をいい、孔同士の間隔は排水流出孔群３１内の一つの孔３２と隣接する孔３２との間の最短距離をいうものとする。排水流出孔群３１，３１同士の間隔が広いので、排水は、上部排水流出部３０からほとんど流出せずに流入部６０上を流入口５６から一時保水部２０へ流れる。
本実施形態の流入部６０は、上部排水流出部３０と略同一面内で一時保水部２０を挟む二箇所に設けられ、流入口５６から一時保水部上縁部２１ａに向かって下がっている。
【００３２】
立壁部５０は、洗い場Ｗ１からの排水を通す流入口５６を設けて排水流出孔群３１（孔３２）が存在する上部排水流出部３０の外側に配置されている。従って、立壁部５０は、排水流出孔群３１に直接排水が流れ込むことを抑止し、排水を流入口５６だけから一時保水部２０へ流入させるガイド機能を有する。
本実施形態の立壁部５０は、各排水流出孔群３１，３１の外側に存在する第一の分割立壁部５２及び第二の分割立壁部５４から構成されている。両分割立壁部５２，５４は、上部排水流出部３０を取り囲むように上部排水流出部の外縁部３０ａから上方へ延出している。立壁部５０があることにより、毛髪等を含む洗い場Ｗ１からの排水が直接上部排水流出部３０に入らないようになっており、毛髪等による上部排水流出部３０の目詰まりを抑止することができる。
【００３３】
各分割立壁部５２，５４の流入口５６側の縁部（区画部５３，５５）は、排水流出孔群３１（上部排水流出部３０）と流入部６０とを区画するように一時保水部２０の方へ曲げられている。これらの区画部５３，５５は、各分割立壁部５２，５４において旋回流の回転方向Ｄ１の下流側に設けられ、流入部６０上の排水が一時保水部２０内における凸部の最上部２４ａ、すなわち、仮想の水平面に投影された下部排水流出部の平面図形の重心ＣＥ１から水平方向へずれた位置に向かうように配置されている。本実施形態の区画部５３，５５の向きは、一時保水部壁部２１の内周面に沿う向きとされている。
なお、重心ＣＥ１から水平方向へずれた位置に向かうとは、図５に示す流入部６０，６０の排水の流れ方向Ｄ１３，Ｄ１３のように、ヘアキャッチャー１０を上から見たときに重心ＣＥ１を通らない方向に向かうことを意味するものとする。
【００３４】
以上より、排水導入部４０は、洗い場Ｗ１から排水桝１１２内に流入した排水を立壁部５０の外側から流入口５６，５６へ流入させ、流入部６０，６０に沿って凸部の最上部２４ａから水平方向へずれた位置に向けて一時保水部２０へ導く。これにより、流入部６０，６０上の排水が凸部の最上部２４ａから水平方向へずれた位置に向かうので、一時保水部２０内で排水の旋回流が生じ易い。また、一時保水部２０内に凸部２４があるので、流入部６０，６０上の排水が一時保水部２０内の旋回流を打ち消す方向へ流入し難い。
さらに、ヘアキャッチャー１０が凸部の最上部２４ａを通る鉛直線を中心として２回回転対称であるので、流入部６０，６０上を流れてきた排水が１８０°反対の方向から一時保水部２０内へ流入する。これにより、一時保水部内で排水が旋回流になり易くなり、毛髪等をまとめて捨て易くすることができる。
なお、流入部が一箇所しかないと、排水桝内に流入する排水の流れの向きによって一時保水部内で良好な旋回流が生じないことがある。一方、流入部が三箇所以上あると、流入部から一時保水部へ流入する排水の流れ同士がぶつかることにより一時保水部内で良好な旋回流が生じないことがある。本ヘアキャッチャーは、一時保水部を挟んで流入部が二箇所にあるので、一時保水部内で排水が旋回流になり易い。
【００３５】
ところで、図６に示すように、凸部の最上部２４ａを通る鉛直面で切断した断面における上部排水流出部３０の傾きG1（％）は、同断面における流入部６０の傾きG2（％）とほぼ同じである。一方、同断面における一時保水部壁部２１の上部の傾きG3（％）は、上部排水流出部や流入部の傾きG1，G2よりも大きくされている。
なお、傾きG1％，G2％，G3％は、水平方向の距離Dh1（mm），Dh2（mm），Dh3（mm）に対する鉛直方向の距離をDv1（mm），Dv2（mm），Dv3（mm）として、
G1 ＝ （Dv1／Dh1）×１００  （％）
G2 ＝ （Dv2／Dh2）×１００  （％）
G3 ＝ （Dv3／Dh3）×１００  （％）
で表されるものとする。ここで、傾きを表すDh1，Dh2，Dh3は正の数、Dv1，Dv2，Dv3は０以上の数とする。
【００３６】
石鹸やシャンプー等に由来する泡を水面に有する排水がヘアキャッチャーの孔から流出していくとき、ヘアキャッチャー上面の勾配が急であると、泡が排出されにくい。一方、ヘアキャッチャー上面が水平であると、泡は排出され易くなるものの、毛髪等がヘアキャッチャー上面全体に付着して目詰まりすることがある。
本ヘアキャッチャー１０は、上部排水流出部３０に傾きを設けることにより毛髪等を凹状の一時保水部２０へ集め、上部排水流出部の傾きG1を水平に近くすることにより泡の排出性能を高めている。これにより、本ヘアキャッチャー１０は、凹状の一時保水部２０で毛髪等の異物を集めながら排水の水面にある泡を容易に上部排水流出部３０から排出することができる。
【００３７】
また、泡を素早く排出するためには各孔３２の開口面積が大きい方がよいため、各孔３２の開口面積は一時保水部の各水抜き孔２３の開口面積よりも大きくしている。
【００３８】
なお、ヘアキャッチャー１０は、上部排水流出部の外縁部３０ａから下方へ延出した下方延出部４２を有し、締め付けフランジ１４０に対して下方延出部４２が取り付けられるようにされている。図４と図７（ａ）に示すように、下方延出部４２の下部外側面には、９０°間隔で４箇所に溝４３が形成されている。また、下方延出部４２の下縁部４５には、各溝４３に繋がる切欠部４４が９０°間隔で形成されている。各切欠部４４を締め付けフランジの突起１４１ｂに合わせて締め付けフランジ１４０の開口部にヘアキャッチャー１０の下部を挿入し、上下の突起１４１ｂ間に下方延出部の下縁部４５を挿入するようにヘアキャッチャー１０を回転させることにより、ヘアキャッチャー１０が封水筒１５０の上部に取り付けられる。これにより、ヘアキャッチャー１０が排水桝１１２内の所定位置に固定される。
むろん、９０°間隔とされた締め付けフランジ突起１４１ｂ及び溝４３により、締め付けフランジ１４０に取り付けられるヘアキャッチャー１０の向きを９０°単位で変えることができる。また、締め付けフランジの開口部が上面視円形であり、ヘアキャッチャーの下部が下面視円形であるので、締め付けフランジ及びヘアキャッチャーの取付部を変更することにより締め付けフランジに対してヘアキャッチャーを取り付ける向きを３６０°全ての向きに変更可能である。
【００３９】
ところで、ヘアキャッチャー１０は、熱可塑性樹脂といった樹脂材料、ステンレスといった金属材料、これらの組み合わせ、等、種々の材質とすることができ、樹脂材料や金属材料の成形品等を用いることができる。
本ヘアキャッチャー１０を設けた排水トラップ１は、例えば、床材フランジ部１１３の先端部にパッキン１４４を取り付け、トラップ本体のフランジ部１３３に締め付けフランジ１４０を螺入して床材フランジ部１１３とトラップ本体１３０とを互いに固定し、封水筒１５０を締め付けフランジ１４０に取り付け、ヘアキャッチャー１０を締め付けフランジ１４０に取り付け、排水桝の段部１１４にカバー１２０を載置することにより、形成される。
【００４０】
（２）ヘアキャッチャーの作用、効果：
次に、本ヘアキャッチャー１０の作用、効果を説明する。
洗い場Ｗ１で生じた排水は、カバー１２０の周囲から排水桝１１２に流入するが、分割立壁部５２，５４により排水流出孔群３１，３１に直接流れ込むことが抑止され、流入口５６，５６からヘアキャッチャー１０内に流入する。流入口５６，５６から流入した排水は、傾きG2を有する流入部６０，６０上を区画部５３，５５に案内されて一時保水部２０内における凸部の最上部２４ａ（重心ＣＥ１）から水平方向へずれた位置に向かって速度を上げる。このため、少ない排水量でも効果的に旋回流を発生させることができる。なお、排水が流入部６０，６０に隣接する孔３２の上を通過することもあるが、このような排水は僅かである。
【００４１】
流入部６０，６０を流れてきた排水は、凸部の最上部２４ａから水平方向へずれた位置に向かって凹状の一時保水部２０に流入する。図５には、流入部６０，６０から一時保水部２０内に流入する排水の流れＤ１３，Ｄ１３を矢印で示している。該排水は、一時保水部２０で一時的に保水されながら左回りに旋回し、下部排水流出部２２から下方へ流出する。排水が一時保水部壁部２１の内周面に沿う方向へ流入するので、旋回流は下部排水流出部２２を通り鉛直に向いた仮想の回転軸ＡＸ１を中心とするような渦流となる。一時保水部２０内で一時的に溜まった排水の渦流の中で、図７（ｂ）に示すように毛髪Ｈ１等の異物が浮遊しながら旋回して集まり、下部排水流出部２２からの毛髪Ｈ１等の流出が抑止される。むろん、下部排水流出部２２から毛髪Ｈ１等が流出しようとしても、複数の水抜き孔２３を形成した下部排水流出部２２に引っ掛かることにより毛髪Ｈ１等の流出が抑止される。
また、一時保水部２０内に凸部２４があることにより一時保水部２０へ導かれる排水が旋回流を打ち消す方向へ流入し難いので、一時保水部２０内で毛髪Ｈ１等がまとまり易い。
【００４２】
また、下部排水流出部２２の排水流出流量を超える排水が一時保水部２０に流入すると、排水は、一時保水部２０に入りきらず上縁部２１ａを超え、上部排水流出部３０から流出する。排水に泡が生じている場合には、緩やかな傾きG1を有する上部排水流出部の排水流出孔群３１から泡が排出される。図７（ｂ）は、排水が上縁部２１ａを超えて位置Ｌ１にまで上昇していることを示している。このとき、下部排水流出部２２から流出した排水が封水面Ｓまで流れ方向Ｄ１４へ落下するとともに、上部排水流出部３０から流出した排水が封水面Ｓまで流れ方向Ｄ１５へ落下する。ここで、一時保水部２０内の排水中の毛髪等は集まって浮遊し旋回しているため、上部排水流出部の孔３２から流出しようとする毛髪等は少ない。また、上部排水流出部３０から毛髪Ｈ１等が流出しようとしても、複数の孔３２が形成された上部排水流出部３０に引っ掛かることにより毛髪Ｈ１等の流出が抑止される。従って、上部排水流出部３０は、従来のヘアキャッチャーに設けられたオーバーフロー用の開口部のように毛髪等が流出してしまう開口部とは異なる。
【００４３】
一時保水部２０に排水が流入しなくなると、毛髪Ｈ１等が浮遊して集まった排水が下部排水流出部２２から流出し、図７（ｃ）に示すように毛髪Ｈ１等がまとまった状態で一時保水部２０内に残存する。ここで、一時保水部２０の底部に凸部２４が設けられているので、集まった毛髪Ｈ１等が凸部２４に支えられ、該毛髪等と一時保水部底部との接触面積が少ない。捕集した毛髪等を捨てる際には、排水桝１１２からカバー１２０を取り外した後にヘアキャッチャー１０を締め付けフランジ１４０から取り外して裏返す作業をすればよい。毛髪等がまとまった状態で一時保水部２０内に存在するので、上下逆にされた一時保水部２０から毛髪等が容易に落下する。また、凸部２４に支えられた毛髪Ｈ１等と一時保水部２０底部との接触面積が少ないので、毛髪等を捨てる際に一時保水部２０の内側面から毛髪等が離れやすい。従って、ヘアキャッチャーから容易に毛髪等を除去することができる。
図８（ｄ）に示した従来例のように排水が速やかにヘアキャッチャーを通過するようにされていると毛髪等がヘアキャッチャーに絡み付いて毛髪等を除去し難くなるが、本ヘアキャッチャー１０は、一時保水部の孔が少なく、排水が徐々に下部排水流出部２２を通過するので、毛髪等が一時保水部に絡み付かず、良好な毛髪除去性を得ることができ、清掃し易い。
【００４４】
また、図８（ａ）〜（ｄ）に示した従来例のように洗い場からの全排水が一度にヘアキャッチャー全体を通過すると毛髪等がヘアキャッチャー全体に付着して目詰まりし易くなるが、本ヘアキャッチャー１０は、排水流出孔群３１に直接排水が流れ込まないので、上部排水流出部３０の閉塞を抑止して安定した排水能力を得ることができる。
さらに、図８（ａ）〜（ｄ）に示した従来例では封水筒や排水桝等を特別な構造にすることより渦流を発生させる必要があるが、本ヘアキャッチャー１０は、上述した良好な毛髪除去性及び安定した排水能力をヘアキャッチャー単独の構造のみで得ることができる。特に、図８（ａ）〜（ｃ）に示した従来例では洗い場からの排水が全て排水量調節部品９０４を通過することにより排水能力が制限されるが、本ヘアキャッチャー１０によると、封水筒の排水能力を制限する必要が無いので、安定した排水能力が得られる。また、図８（ｄ）に示した従来例では渦流を発生させるために浴槽排水が必要であるが、本ヘアキャッチャー１０は、浴槽排水を用いず洗い場シャワー等の洗い場からの排水だけで良好な毛髪除去性を得ることができる。
【００４５】
従って、本ヘアキャッチャー１０によると、ヘアキャッチャーを設ける排水トラップに特別な構造を設ける必要が無く、良好な毛髪除去性及び良好な清掃性並びに安定した排水能力を得ることが可能となる。むろん、これらの性能は、既存の排水トラップからヘアキャッチャーのみを交換することにより得られることになる。従って、排水トラップを安価にすることが可能になる。
また、本ヘアキャッチャー１０は、締め付けフランジ１４０の内径とほぼ同じ外径のコンパクトな大きさで上述した良好な毛髪除去性及び清掃性並びに安定した排水能力を得ることができる。
【００４６】
なお、洗い場から流入する排水が少ないときには一時保水部２０内で旋回流が生じないこともあるが、この場合でも一時保水部２０内で一時的に溜まった排水の中で毛髪等が浮遊して集まり、下部排水流出部２２からの毛髪等の流出が抑止される。むろん、流入する排水が一時保水部２０に一時的に保水されない程度に少ないときであっても、複数の水抜き孔２３を形成した下部排水流出部２２により毛髪等の流出が抑止され、下部排水流出部２２から排水が徐々に流出するので毛髪等の絡み付きによる毛髪除去性の低下が抑止される。
【００４７】
（３）変形例：
本発明のヘアキャッチャーは、種々の変形例が考えられる。
ヘアキャッチャーを構成する各部は、全て一体化されていてもよいし、独立した部材で構成されてもよい。
洗い場からの排水を一時保水部へ通す流入口は、立壁部に設けられる隙間以外にも、これらの部位に設けられる開口等でもよい。
上記下部排水流出部や上記上部排水流出部は、複数の孔で形成する以外にも、繊維や針金等を編んで形成した網で構成したり、複数のスリットで形成したりすることが可能である。
上記上部排水流出部の外側に配置される立壁部は、鉛直方向に延出した形状以外にも、鉛直方向からずれた方向に延出した形状等でもよい。
【００４８】
一時保水部の底部に設けられる凸部の上方へ凸とされた形状には、上方へ膨出した形状のみならず、上方へ突出した形状、上方へ延出した形状、等も含まれる。
一時保水部の底部に設けられる凸部の最上部は、下部排水流出部の平面図形の重心からずれていてもよい。
一時保水部の底部には、上述した凸部が複数設けられてもよい。
一時保水部の水抜き孔は、凸部全体にわたって設けられるのみならず、一時保水部の最下部のみ等、凸部の周囲にのみ設けられてもよい。
上部排水流出部に設けられる排水流出孔群は、複数のみならず、単数でもよい。上部排水流出部に一つのみ排水流出孔群が設けられる場合、該排水流出孔群が一時保水部の周りの一周近くにわたって配置され、該排水流出孔群の右回り方向の縁部と該排水流出孔群の左回り方向の縁部とで挟まれた位置に流入部が設けられてもよい。この場合の流入部も、上部排水流出部の排水流出孔群同士で挟まれた位置で上部排水流出部の外縁と一時保水部の上部とを繋ぐ部位となる。
上部排水流出部には、上記排水流出孔群の代わりに、単一の孔で構成される排水流出孔が設けられてもよい。従って、上部排水流出部に設けられる孔は、複数のみならず、単数でもよい。
【００４９】
上記排水導入部が一時保水部内に発生させる旋回流は、上述した実施形態とは逆の右回りでもよい。また、旋回流の回転軸ＡＸ１の向きは、鉛直方向から斜めにずれた方向でもよく、水平方向でもよい。
上記排水導入部が一時保水部内へ排水を導く方向は、一時保水部壁部の内周面に沿う方向以外とすることができる。例えば、排水を導く方向を下部排水流出部に向かう方向とすると、一時保水部内で水平に向いた回転軸を中心とするような旋回流が発生すると考えられる。この場合も、一時保水部内で毛髪等が浮遊しながら旋回して集まり、毛髪等がまとまった状態で一時保水部内に残存して、良好な毛髪除去性を得ることができると考えられる。
上記一時保水部が上下逆の角錐の形状、又は、上下逆の角錐の頂点及び稜線を丸くしたような形状である場合、上記排水導入部は一時保水部壁部の水平断面の辺に沿った方向へ洗い場からの排水を導いてもよい。
【００５０】
上記排水導入部が旋回流を発生させないように洗い場からの排水を一時保水部へ導く場合でも、一時保水部内で一時的に溜まった排水の中で毛髪等が浮遊して集まり、下部排水流出部から排水が抜け落ちたときに毛髪等が集まった状態で一時保水部内に残存する。従って、良好な毛髪除去性及び安定した排水能力を得る効果が得られる。
【００５１】
排水トラップを構成する締め付けフランジ等の部材にヘアキャッチャーを取り付ける操作を行うための把手等の部位を有するヘアキャッチャーも、本発明の作用、効果を奏する。
【００５２】
また、流入した排水を保水する凹状の保水部は、上述した下部排水流出部を有する一時保水部のみならず、下部排水流出部２２の無い保水部でもよい。下部排水流出部が無い場合、保水部２０に流入した排水は、全て上部排水流出部３０から流出することになる。ここで、毛髪の比重が１．２〜１．３程度と水の比重よりも大きいため、保水部２０の中で毛髪には沈む力が加わる。これにより、保水部２０に入りきらない排水が上部排水流出部３０から流出する際に流出しようとする毛髪は少ない。また、毛髪が上部排水流出部３０へ移動しても、排水は単に上部排水流出部３０からオーバーフローする訳ではなく、上部排水流出部３０で毛髪の流出が抑止される。
一方、毛髪が細長いため、保水部２０内に溜まった排水の中で毛髪に加わる沈む力よりも排水の流れの影響の方が大きく、保水部２０内で毛髪が浮遊する。これにより、保水部２０内で毛髪等が集まり、毛髪等が集まった状態で保水部２０内に残存する。従って、捕集した毛髪等を容易に除去することができる。
また、洗い場からの排水が保水部２０へ導かれるので、上部排水流出部３０の閉塞が抑止され、安定した排水能力を得ることができる。
【００５３】
なお、本発明を適用可能な洗い場は、浴室の洗い場以外にも、洗面化粧台の排水トラップに繋がる洗面台、理容店や美容室の排水トラップに繋がる洗面台、等でもよい。
また、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【符号の説明】
【００５４】
１…排水トラップ、
１０…ヘアキャッチャー、
２０…一時保水部（保水部）、２０ａ…最下部、
２１…壁部、２１ａ…上縁部、
２２…下部排水流出部、２３…水抜き孔、
２４…凸部、２４ａ…最上部、
３０…上部排水流出部、３１…排水流出孔群（孔群）、３２…孔、
４０…排水導入部、
５０…立壁部、
５２…第一の分割立壁部、５３…区画部、
５４…第二の分割立壁部、５５…区画部、
５６…流入口、
６０…流入部、
１１０…床材、１１２…排水桝、１２０…カバー、
１３０…トラップ本体、１４０…締め付けフランジ、１５０…封水筒、
ＡＸ１…仮想の回転軸、Ｂ１…浴槽、
ＣＥ１…下部排水流出部の平面図形の重心、
Ｄ１…旋回流の回転方向、
Ｄ１３〜Ｄ１５…排水の流れ方向、
Ｈ１…毛髪、Ｓ…封水面、Ｗ１…洗い場、
【図１】
2011169102.tif 000003
【図２】
2011169102.tif 000004
【図３】
2011169102.tif 000005
【図４】
2011169102.tif 000006
【図５】
2011169102.tif 000007
【図６】
2011169102.tif 000008
【図７】
2011169102.tif 000009
【図８】
2011169102.tif 000010